(57)【要約】    【課題】  煩雑な処理を伴なうことなく、画像ファイルに基づく電子化情報の外部への送信状況を把握することができるデジタルカメラ及び電子化ファイル管理方法を提供する。    【解決手段】  予め識別情報としてフォルダ名が付与されるフォルダであり、画像ファイルを分類して記録するためのフォルダ毎に当該画像ファイルが記録可能に構成された記録メディア４２Ａを備え、当該記録メディア４２Ａに記録されている画像ファイルに基づく電子化情報が外部機器インタフェース６４を介して外部機器６６に送信された場合に、フォルダ名として所定の送信状況を示す送信情報が付与されたフォルダ（バックアップ済みフォルダ及びプリント済みフォルダ）に当該画像ファイルを移動する。    【選択図】  図２
2005159513.tif 000002
【特許請求の範囲】
【請求項１】
予め識別情報が付与されるエリアであり、電子化ファイルを分類して記録するためのエリア毎に当該電子化ファイルが記録可能に構成された記録媒体と、
前記記録媒体に記録されている前記電子化ファイルに基づく電子化情報を外部に送信するための送信手段と、
前記送信手段により送信対象とされた前記電子化ファイルを、前記識別情報として所定の送信状況を示す送信情報が付与された前記エリアに移動するように制御する制御手段と、
を備えたデジタルカメラ。
【請求項２】
前記制御手段は、前記送信手段により送信対象とされた前記電子化ファイルを、送信用途を示す送信情報が付与された前記エリアに移動するように制御する
請求項１に記載のデジタルカメラ。
【請求項３】
前記送信用途を、印刷のための送信及びバックアップのための送信の少なくとも一方とした請求項２に記載のデジタルカメラ。
【請求項４】
前記送信情報が付与された前記エリアに記録されている全ての前記電子化ファイルの前記エリア単位での消去指示を入力するための消去指示入力手段を更に備え、
前記制御手段は、前記消去指示入力手段により入力された前記消去指示に応じて前記電子化ファイルを前記記録媒体から消去するように制御する
請求項１乃至請求項３の何れかに記載のデジタルカメラ。
【請求項５】
前記制御手段によって前記送信情報が付与された前記エリアに移動された前記電子化ファイルの何れかを対象とした当該移動の解除指示を入力するための解除指示入力手段を更に備え、
前記制御手段は、前記解除指示入力手段により入力された前記解除指示に応じて、当該解除指示の対象とされる前記電子化ファイルを元のエリアに戻すように制御する
請求項１乃至請求項４の何れかに記載のデジタルカメラ。
【請求項６】
前記解除指示入力手段を、前記解除指示として、前記送信情報が付与された前記エリアに移動された全ての電子化ファイルの一括した当該移動の解除指示を入力するためのものとした
請求項５に記載のデジタルカメラ。
【請求項７】
前記電子化ファイルを、撮影によって得られた被写体像を示す画像ファイルとし、
前記記録媒体に記録された前記画像ファイルにより示される前記被写体像を再生表示するための表示手段を更に備えた
請求項１乃至請求項６の何れかに記載のデジタルカメラ。
【請求項８】
前記制御手段は、前記表示手段によって前記被写体像を再生表示する際に、当該被写体像を示す前記画像ファイルが記録されている前記エリアに付与された識別情報を判別可能に表示するように制御する
請求項７に記載のデジタルカメラ。
【請求項９】
前記エリアの何れかを指定する指定情報を入力するための指定情報入力手段を更に備え、
前記制御手段は、前記表示手段によって前記被写体像を再生表示する際に、前記指定情報入力手段によって入力された前記指定情報により示される前記エリアに記録された画像ファイルによって示される被写体像を表示するように制御する
請求項７又は請求項８に記載のデジタルカメラ。
【請求項１０】
前記電子化ファイルの前記送信情報が付与された前記エリアへの移動処理と、前記電子化ファイルの前記記録媒体からの消去処理及び前記電子化ファイルの情報容量の縮小処理の少なくとも一方と、から何れか１つの処理を選択的に実行させる実行指示を入力するための実行指示入力手段を更に備え、
前記制御手段は、前記送信手段により前記電子化ファイルに基づく電子化情報が外部に送信された場合に、当該電子化ファイルを対象として前記実行指示入力手段によって入力された前記実行指示に応じた処理を実行する
請求項１乃至請求項９の何れかに記載のデジタルカメラ。
【請求項１１】
予め識別情報が付与されるエリアであり、電子化ファイルを分類して記録するためのエリア毎に当該電子化ファイルが記録可能に構成された記録媒体を用いたデジタルカメラの電子化ファイル管理方法であって、
前記記録媒体に記録されている前記電子化ファイルに基づく電子化情報が前記デジタルカメラの外部に送信された場合に、前記識別情報として所定の送信状況を示す送信情報が付与された前記エリアに当該電子化ファイルを移動する
電子化ファイル管理方法。
【発明の詳細な説明】
【技術分野】
【０００１】
本発明は、記録媒体に記録されている電子化ファイルに基づく電子化情報を外部に送信可能なデジタルカメラ及び当該デジタルカメラの電子化ファイル管理方法に関する。
【背景技術】
【０００２】
近年、デジタルカメラとして、ＰＣ（Personal Computer）やプリンタ等の外部機器と通信可能に構成されたものが多数製品化されている。
【０００３】
この種のデジタルカメラでは、電子化ファイルとして記録媒体に記録したデジタル画像データを通信により外部機器に送信し、バックアップや当該デジタル画像データにより示される被写体像のプリント等を行なうことができる。ここで、電子化ファイルの管理を行なう上では、このようなバックアップやプリント等を行なった電子化ファイルについて外部への送信状況を記録しておくことが好ましい。
【０００４】
このための技術として、特許文献１には、デジタルカメラにおいて、撮像した被写体画像をフラッシュメモリに保存記憶し、当該記憶した被写体像をＰＣ等の外部保存装置に送信可能とすると共に、デジタルカメラの内部に備えられた記録画像を管理する画像管理テーブルにより外部保存装置への送信状態や送信先等を管理する、という技術が記載されている。
【０００５】
また、特許文献２には、プリンタ付きデジタルカメラにおいて、プリントエラー発生時やユーザの意思によるプリント中断指示などによりプリント動作が中断された場合、内蔵メモリに格納されている対応する画像データを外部記録媒体に転送記録すると共に、当該記録の際に、画像データの一部にタグを設けてプリント動作が中断されたことを示すプリント情報を記録しておき、外部記録媒体から画像データを読み出してプリントを再実行するときは、付加されているタグの情報をもとにプリント動作を自動的に決定する、という技術が記載されている。
【特許文献１】特開２０００−２０９５３６公報
【特許文献２】特開２００１−５７６６７公報
【発明の開示】
【発明が解決しようとする課題】
【０００６】
しかしながら、上記特許文献１の技術では、電子化ファイルの外部への送信状況を画像管理テーブルを用いて管理しているので、当該送信状況を把握するためには当該テーブルの内容を参照する必要があり、処理が煩雑になる、という問題点があった。
【０００７】
また、上記特許文献２の技術では、画像データの外部への送信状況（具体的には、プリント状況）を電子化ファイルのタグを用いて管理しているので、当該送信状況を把握するためには当該タグの内容を参照する必要があり、処理が煩雑になる、という問題点があった。
【０００８】
本発明は上記問題点を解決するためになされたものであり、煩雑な処理を伴なうことなく、電子化ファイルに基づく電子化情報を外部への送信状況を把握することができるデジタルカメラ及び電子化ファイル管理方法を提供することを目的とする。
【課題を解決するための手段】
【０００９】
上記目的を達成するために、請求項１記載のデジタルカメラは、予め識別情報が付与されるエリアであり、電子化ファイルを分類して記録するためのエリア毎に当該電子化ファイルが記録可能に構成された記録媒体と、前記記録媒体に記録されている前記電子化ファイルに基づく電子化情報を外部に送信するための送信手段と、前記送信手段により送信対象とされた前記電子化ファイルを、前記識別情報として所定の送信状況を示す送信情報が付与された前記エリアに移動するように制御する制御手段と、を備えている。
【００１０】
請求項１に記載のデジタルカメラでは、記録媒体が、予め識別情報が付与されるエリアであり、電子化ファイルを分類して記録するためのエリア毎に当該電子化ファイルが記録可能に構成されており、当該記録媒体に記録されている前記電子化ファイルに基づく電子化情報を送信手段により外部に送信することができる。
【００１１】
なお、上記電子化情報には、電子化ファイルそのものや、電子化ファイルに含まれる情報の一部、当該情報を加工して作成した情報が含まれる。
【００１２】
また、上記記録媒体には、スマートメディア、ｘＤピクチャーカード、ＳＤカード、メモリスティック、コンパクトフラッシュ（Ｒ）、マイクロドライブ等の可搬記録媒体や、ＲＡＭ、ＥＥＰＲＯＭ、フラッシュメモリ等の半導体記憶素子が含まれる。更に、上記電子化ファイルには、画像ファイル、文書ファイル、音声ファイル等が含まれる。
【００１３】
また、上記エリアは、ＰＣやワークステーション等のコンピュータのオペレーティング・システムに備えられたファイル管理機能において、一般に、フォルダ（Folder）やディレクトリ（Directory）等と呼ばれているものに相当する。そして、上記識別情報は、上記エリアがフォルダである場合にはフォルダ名に、上記エリアがディレクトリである場合にはディレクトリ名に、それぞれ相当する。
【００１４】
また、上記電子化ファイルの外部への送信は、ケーブル等を用いた有線通信の他、赤外線等を用いた無線通信によっても行なうことができる。
【００１５】
ここで、本発明では、制御手段により、送信手段によって送信対象とされた前記電子化ファイルが、前記識別情報として所定の送信状況を示す送信情報が付与された前記エリアに移動されるように制御される。
【００１６】
すなわち、本発明では、記録媒体に記録されている電子化ファイルに基づく電子化情報が何らかの目的で外部に送信された場合に、当該電子化ファイルを送信状況を示す送信情報が付与されたエリアに移動するようにしているので、電子化ファイルが記録されているエリアに付与された識別情報を参照することのみによって電子化ファイルに基づく電子化情報の外部への送信状況を容易に把握できる。
【００１７】
例えば、所望の送信状況で外部に送信された電子化ファイルを検索したい場合にも、当該所望の送信状況を示す送信情報が付与されたエリアに記録されている全ての電子化ファイルを抽出すればよいので、煩雑な処理を伴なうことがない。
【００１８】
なお、本発明では、上述したように、フォルダ名やディレクトリ名に相当する識別情報を利用して電子化ファイルの送信状況を記録するので、特別に管理テーブルを設けたり電子化ファイルのタグを利用したりする従来の技術と比較して、電子化ファイルの記録容量を減少させることもない。
【００１９】
このように、請求項１に記載のデジタルカメラによれば、予め識別情報が付与されるエリアであり、電子化ファイルを分類して記録するためのエリア毎に当該電子化ファイルが記録可能に構成された記録媒体を備え、当該記録媒体に記録されている前記電子化ファイルに基づく電子化情報が外部に送信された場合に、前記識別情報として所定の送信状況を示す送信情報が付与された前記エリアに当該電子化ファイルを移動しているので、煩雑な処理を伴なうことなく、電子化ファイルに基づく電子化情報の外部への送信状況を把握することができる。
【００２０】
また、本発明の前記制御手段は、請求項２に記載の発明のように、前記送信手段により送信対象とされた前記電子化ファイルを、送信用途を示す送信情報が付与された前記エリアに移動するように制御することが好ましい。これにより、送信用途についても煩雑な処理を伴なうことなく把握することができる。
【００２１】
さらに、請求項２に記載の発明は、請求項３に記載の発明のように、前記送信用途を、印刷のための送信及びバックアップのための送信の少なくとも一方としてもよい。これにより、デジタルカメラから外部への電子化ファイルの送信用途として非常に頻度の高い印刷のための送信及びバックアップのための送信の実行状況が把握できる。
【００２２】
また、本発明は、請求項４に記載の発明のように、前記送信情報が付与された前記エリアに記録されている全ての前記電子化ファイルの前記エリア単位での消去指示を入力するための消去指示入力手段を更に備え、前記制御手段は、前記消去指示入力手段により入力された前記消去指示に応じて前記電子化ファイルを前記記録媒体から消去するように制御するものとしてもよい。これにより、所望の送信状況での外部への送信対象とされた電子化ファイルを一括して消去することが可能となり、利便性を向上させることができる。
【００２３】
さらに、本発明は、請求項５に記載の発明のように、前記制御手段によって前記送信情報が付与された前記エリアに移動された前記電子化ファイルの何れかを対象とした当該移動の解除指示を入力するための解除指示入力手段を更に備え、前記制御手段は、前記解除指示入力手段により入力された前記解除指示に応じて、当該解除指示の対象とされる前記電子化ファイルを元のエリアに戻すように制御するものとしてもよい。これにより、送信手段によって外部への送信対象とされた電子化ファイルを外部への送信対象とされていない電子化ファイルと同様に扱うことができるので、再度送信対象としたり誤消去等を防止したりすることができる。
【００２４】
さらに、請求項５に記載の前記解除指示入力手段を、請求項６に記載の発明のように、前記解除指示として、前記送信情報が付与された前記エリアに移動された全ての電子化ファイルの一括した当該移動の解除指示を入力するためのものとしてもよい。これにより、送信情報が付与されたエリアに移動された全ての電子化ファイルの送信情報を簡易かつ短時間で解除することができる。
【００２５】
また、本発明は、請求項７に記載の発明のように、前記電子化ファイルを、撮影によって得られた被写体像を示す画像ファイルとし、前記記録媒体に記録された前記画像ファイルにより示される前記被写体像を再生表示するための表示手段を更に備えたものとしてもよい。これにより、撮影によって得られた被写体像を表示手段によって再生表示することができる。
【００２６】
なお、上記表示手段には、ＬＣＤ（Liquid Crystal Display）、ＣＲＴディスプレイ、有機ＥＬディスプレイ、プラズマディスプレイ等のディスプレイが含まれる。
【００２７】
さらに、請求項７の前記制御手段は、請求項８に記載の発明のように、前記表示手段によって前記被写体像を再生表示する際に、当該被写体像を示す前記画像ファイルが記録されている前記エリアに付与された識別情報を判別可能に表示するように制御するものとしてもよい。これにより、被写体像が再生表示されている状態で、当該被写体像を示す画像ファイルの外部への送信状況を視覚的に判別できるので、当該送信状況を直感的に把握することができる。
【００２８】
さらに、請求項７又は請求項８に記載の発明は、請求項９に記載の発明のように、前記エリアの何れかを指定する指定情報を入力するための指定情報入力手段を更に備え、前記制御手段は、前記表示手段によって前記被写体像を再生表示する際に、前記指定情報入力手段によって入力された前記指定情報により示される前記エリアに記録された画像ファイルによって示される被写体像を表示するように制御するようにしてもよい。これにより、再生表示の対象として所望のエリアに記録されている画像ファイルが指定可能となるので、所望の送信状況である画像ファイルを再生表示させることができる。
【００２９】
また、本発明は、請求項１０に記載の発明のように、前記電子化ファイルの前記送信情報が付与された前記エリアへの移動処理と、前記電子化ファイルの前記記録媒体からの消去処理及び前記電子化ファイルの情報容量の縮小処理の少なくとも一方と、から何れか１つの処理を選択的に実行させる実行指示を入力するための実行指示入力手段を更に備え、前記制御手段は、前記送信手段により前記電子化ファイルに基づく電子化情報が外部に送信された場合に、当該電子化ファイルを対象として前記実行指示入力手段によって入力された前記実行指示に応じた処理を実行するものとしてもよい。
【００３０】
すなわち、本発明では、送信手段により電子化ファイルに基づく電子化情報が外部に送信された場合に、当該電子化ファイルを所定の送信状況を示す送信情報が付与されたエリアに移動する移動処理を含む少なくとも２つの処理から何れか１つの処理を選択的に実行させることができる。
【００３１】
例えば、上記実行指示入力手段が、移動処理、消去処理及び縮小処理の３つの処理から何れか１つの処理を選択的に実行させる実行指示を入力するものである場合、記録媒体の空き容量を増やしたいのであれば消去処理の実行指示を入力すればよいし、送信対象とされた電子化ファイルの送信状況を把握できるようにしたいのであれば移動処理の実行指示を入力すればよい。また、送信対象とされた電子化ファイルを消去せずに記録媒体の空き容量をできるだけ増やしたいのであれば縮小処理の実行指示を入力すればよい。
【００３２】
これにより、ユーザ毎に異なる送信対象とされた電子化ファイルの重要度や、使用状況によって異なる記録媒体の空き容量等に応じた所望の処理の実行指示を入力できるので、利便性を向上させることができる。
【００３３】
一方、上記目的を達成するために、請求項１１に記載の電子化ファイル管理方法は、予め識別情報が付与されるエリアであり、電子化ファイルを分類して記録するためのエリア毎に当該電子化ファイルが記録可能に構成された記録媒体を用いたデジタルカメラの電子化ファイル管理方法であって、前記記録媒体に記録されている前記電子化ファイルに基づく電子化情報が前記デジタルカメラの外部に送信された場合に、前記識別情報として所定の送信状況を示す送信情報が付与された前記エリアに当該電子化ファイルを移動するものである。
【００３４】
したがって、請求項１１に記載の電子化ファイル管理方法によれば、デジタルカメラを上記請求項１に記載の発明と同様に作用させることができるので、請求項１に係る発明と同様に、煩雑な処理を伴なうことなく、電子化ファイルに基づく電子化情報の外部への送信状況を把握することができる。
【発明の効果】
【００３５】
以上説明したように、本発明に係るデジタルカメラ及び電子化ファイル管理方法によれば、予め識別情報が付与されるエリアであり、電子化ファイルを分類して記録するためのエリア毎に当該電子化ファイルが記録可能に構成された記録媒体を備え、当該記録媒体に記録されている前記電子化ファイルに基づく電子化情報が外部に送信された場合に、所定の送信状況を示す送信情報が付与された前記エリアに当該電子化ファイルを移動しているので、煩雑な処理を伴なうことなく、電子化ファイルに基づく電子化情報の外部への送信状況を把握することができる、という優れた効果を有する。
【発明を実施するための最良の形態】
【００３６】
以下、図面を参照して、本発明を実施するための最良の形態について詳細に説明する。
【００３７】
まず、図１を参照して、本形態に係るデジタルカメラ１０の外観上の構成を説明する。
【００３８】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００３９】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００４０】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００４１】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００４２】
また、デジタルカメラ１０の背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００４３】
次に、図２を参照して、本実施の形態に係るデジタルカメラ１０の電気系の構成を説明する。
【００４４】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００４５】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００４６】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子はＡＤＣ１８の出力端子に接続されている。
【００４７】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像のコントラスト値。）を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００４８】
更に、デジタルカメラ１０は、スマートメディア（Smart Media(R)）により構成された記録メディア４２Ａをデジタルカメラ１０でアクセス可能とするためのメディアコントローラ４２と、を含んで構成されている。
【００４９】
以上の画像入力コントローラ２０、画像信号処理回路２２、圧縮・伸張処理回路２４、表示制御回路２８、ＣＰＵ３２、ＡＦ検出回路３４、ＡＥ・ＡＷＢ検出回路３６、第１メモリ３８、第２メモリ４０及びメディアコントローラ４２は、各々バスＢＵＳを介して相互に接続されている。
【００５０】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、第１メモリ３８及び第２メモリ４０へのアクセスと、メディアコントローラ４２を介した記録メディア４２Ａへのアクセスと、を各々行うことができる。
【００５１】
一方、デジタルカメラ１０には、主としてＣＣＤ１４を駆動させるためのタイミング信号を生成してＣＣＤ１４に供給するタイミングジェネレータ４８が設けられている。当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００５２】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００５３】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００５４】
ＣＰＵ３２は、光学ズーム倍率を変更する際にはズームモータを駆動制御して光学ユニット１３に含まれるレンズ１２の焦点距離を変化させる。
【００５５】
また、ＣＰＵ３２は、ＣＣＤ１４による撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００５６】
更に、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ及びキャンセルキー５６Ｇを含む操作部５６はＣＰＵ３２に接続されており、ＣＰＵ３２は、これら操作部５６の各々に対する操作状態を常時把握できる。
【００５７】
また、デジタルカメラ１０は、接続された外部機器との間の所定インタフェース規格（本実施の形態ではＵＳＢ（Universal Serial Bus）規格）による通信を司る外部機器インタフェース６４を備えている。
【００５８】
当該外部機器インタフェース６４もバスＢＵＳに接続されており、ＣＰＵ３２は、外部機器インタフェース６４に接続されたＰＣやプリンタ等の外部機器６６との間で通信可能とされている。
【００５９】
ところで、デジタルカメラ１０では、撮影によって得られた画像データを画像ファイルとして記録メディア４２Ａに記録するものとされており、当該画像ファイルをＤＣＦ（Design Rule For Camera File System）規格に基づいて管理している。
【００６０】
図３には、ＤＣＦ規格に基づく画像ファイルの記録状態が模式的に示されている。同図に示すように、ルート直下の「ＤＣＩＭ」フォルダの下位階層には、画像ファイルが撮影により得られたことを示す「１００＿ＦＵＪＩ」がフォルダ名として付与されたフォルダ（以下、「通常フォルダ」という。）が設けられている。
【００６１】
また、ルート直下には、バックアップのために外部へ送信されたことを示す「ＢＵＰ」がフォルダ名として付与されたフォルダ（以下、「バックアップ済みフォルダ」という。）と、印刷のために外部へ送信されたことを示す「ＰＲＮ」がフォルダ名として付与されたフォルダ（以下、「プリント済みフォルダ」という。）と、が設けられている。
【００６２】
そして、これらのフォルダには、それぞれに付与されたフォルダ名に応じた画像ファイルが記録されることになる。
【００６３】
なお、各フォルダに付与されたフォルダ名が本発明の「識別情報」に相当し、特に、「ＢＵＰ」、「ＰＲＮ」の各フォルダ名が本発明の「送信情報」に相当する。
【００６４】
次に、本実施の形態に係るデジタルカメラ１０の作用を説明する。まず、撮影モードが設定されている場合の全体的な処理の流れについて簡単に説明する。
【００６５】
まず、ＣＣＤ１４による光学ユニット１３を介した撮像が行なわれ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００６６】
画像入力コントローラ２０は内蔵しているラインバッファにＡＤＣ１８から順次入力されるデジタル画像データを蓄積して一旦第２メモリ４０の所定領域に格納する。
【００６７】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００６８】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００６９】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式（本実施の形態では、ＪＰＥＧ形式）で圧縮した後に記録メディア４２Ａの通常フォルダに画像ファイルとして記憶する。
【００７０】
ところで、デジタルカメラ１０では、外部機器６６が接続された状態で電源が投入されると、外部機器インタフェース６４を介して外部機器６６との間で接続認識を行ない、外部機器６６がデジタルカメラ１０と通信可能な状態であると認識された場合には、外部機器６６がプリンタ等の印刷を行なう機器であった場合にはプリント処理を、ＰＣや記憶装置等のバックアップ可能な機器であった場合にはバックアップ処理を、それぞれ自動的に実行する。
【００７１】
そして、デジタルカメラ１０では、当該バックアップ処理やプリント処理の実行時において、処理対象とされた画像ファイルに対して、ユーザにより予め設定された処理を実行するようになっている。なお、当該ユーザによる設定は、メニューキー５６Ｅの操作によりＬＣＤ３０に表示されるメニュー画面上で行なわれる。
【００７２】
図４には、当該メニュー画面の一例が示されている。このメニュー画面では、デジタルカメラ１０の動作を設定するための各種メニュー項目が表示される。同図に示すように、当該メニュー項目には、処理対象とされた画像ファイルに対して実行する処理を設定する際に選択される「プリント後」及び「バックアップ後」のメニュー項目が含まれている。
【００７３】
また、同図に示す例では、各メニュー項目の設定内容も表示されると共に、選択対象となるメニュー項目を示す選択カーソル５８が当該メニュー画面に重ねて表示される。
【００７４】
このようなメニュー画面が表示されると、ユーザは、十字カーソルボタン５６Ｄの上方向及び下方向の矢印キーを操作して選択カーソル５８を移動させ、選択カーソル５８が所望のメニュー項目を示す位置となったところで実行キー５６Ｆを操作することにより、メニュー項目の選択を確定する。
【００７５】
このようにして、ユーザにより「プリント後」のメニュー項目が選択されると、デジタルカメラ１０は、プリント対象とする画像ファイルに対して実行する処理を選択させるべく、当該画像ファイルをプリント済みフォルダに移動させる「フォルダ移動」、当該画像ファイルの情報容量を所定量以下に縮小する「縮小保存」及び当該画像ファイルを記録メディア４２Ａから消去する「消去」の各選択項目をＬＣＤ３０に表示させる。
【００７６】
同様に、ユーザにより「バックアップ後」のメニュー項目が選択されると、デジタルカメラ１０は、バックアップ対象とされた画像ファイルに対して実行する処理を選択させるべく、当該画像ファイルをバックアップ済みフォルダに移動させる「フォルダ移動」、当該画像ファイルの情報容量を所定量以下に縮小する「縮小保存」及び当該画像ファイルを記録メディア４２Ａから消去する「消去」の各選択項目をＬＣＤ３０に表示させる。
【００７７】
以上のような選択項目がＬＣＤ３０に表示されると、ユーザは、上記メニュー画面からのメニュー項目の選択と同様の操作によって所望の処理を示す選択項目を選択することにより、処理対象とする画像ファイルに施す処理を送信用途毎に設定することが可能となっている。
【００７８】
次に、プリント処理及びバックアップ処理について詳細に説明する。
（プリント処理）
図５は、プリント処理の実行時にＣＰＵ３２で実行されるプリント処理プログラムの処理の流れを示すフローチャートであり、同図を参照して本実施の形態に係るプリント処理について説明する。
【００７９】
ステップ１００では、プリント処理の対象となり得る画像ファイルの一覧として、表示制御回路２８を介して各画像ファイルのサムネイル画像をＬＣＤ３０の表示領域に並べて表示する。
【００８０】
このような画像ファイルの一覧がＬＣＤ３０に表示されると、ユーザは、ＬＣＤ３０に表示されたサムネイル画像から所望の画像ファイルのサムネイル画像を特定し、操作部５６の操作により特定したサムネイル画像の選択指示を入力する。
【００８１】
そこで、次のステップ１０２では、ユーザによるサムネイル画像の選択待ちを行ない、次のステップ１０４では、プリント枚数やプリント対象とする画像ファイルによって示される画像の明るさや色合い等のプリント条件を示すプリント指示情報を生成する。
【００８２】
なお、当該プリント指示情報の生成はユーザの操作部５６による指示入力に基づいて行なわれ、ユーザによるプリント処理の実行指示又はプリント処理のキャンセル指示の入力によって終了する。
【００８３】
次のステップ１０６では、プリント処理の実行指示が入力されたか否かを判定する。当該判定が肯定判定となった場合はステップ１０８に移行して、外部機器インタフェース６４を介してプリント指示情報及び画像ファイルのデジタル画像データをプリンタに送信し、その後にステップ１１０に移行する。
【００８４】
ステップ１１０では、プリント対象とされた画像ファイルに対して実行する処理として予め上記メニュー画面（図４も参照。）上で設定された処理が「フォルダ移動」であったか否かを判定する。当該判定が肯定判定となった場合はステップ１１２に移行して、プリント対象とされた画像ファイルをプリント済みフォルダに移動し（図３も参照。）、その後にステップ１２０に移行する。
【００８５】
一方、ステップ１１０で否定判定となった場合はステップ１１４に移行して、予め上記メニュー画面上で設定された処理が「縮小保存」であったか否かを判定する。当該判定が肯定判定となった場合はステップ１１６に移行して、後述する縮小保存処理ルーチンを実行し、その後にステップ１２０に移行する。
【００８６】
また、ステップ１１４で否定判定となった場合は、予め上記メニュー画面上で設定された処理が「消去」であったものと判断してステップ１１８に移行し、プリント対象とされた画像ファイルを記録メディア４２Ａから消去した後、ステップ１２０に移行する。
【００８７】
ステップ１２０では、ユーザによる操作部５６を介した指示入力待ちを行ない、次のステップ１２２では、当該指示入力による指示が他の画像ファイルのプリントを指示するものであったか否かを判定する。当該判定が肯定判定となった場合は再びステップ１００に戻る。一方、ステップ１２２で否定判定となった場合は本プリント処理プログラムを終了する。
【００８８】
次に、図６を参照して本実施の形態に係る縮小保存処理ルーチンについて説明する。なお、図６は、当該縮小保存処理ルーチンの処理の流れを示すフローチャートである。
【００８９】
まず、ステップ１３０では、縮小保存処理の対象となる画像ファイル、すなわち、プリント対象とされた画像ファイルの情報容量が所定量（ここでは、１３０万画素に相当する量）以下であるか否かを判定する。なお、画像ファイルの情報容量は、記録メディア４２Ａのディレクトリエントリを参照することにより得られる。
【００９０】
ステップ１３０で否定判定となった場合、情報容量を縮小する必要があると判断してステップ１３２に移行する。ステップ１３２では、情報容量が所定量となるように、上記画像ファイルの被写体像を示すデジタル画像データから、当該処理前の情報容量と上記所定量との差に応じて決定される画素数毎に画素データを間引くことによりリサイズを施す。
【００９１】
次のステップ１３４では、リサイズ後の画像ファイルをリサイズ前の画像ファイルに上書き保存し、その後に本縮小保存処理ルーチンを終了する。
【００９２】
一方、ステップ１３０で肯定判定となった場合はリサイズを施す必要がないと判断して、直接本縮小保存処理ルーチンを終了する。
（バックアップ処理）
図７は、バックアップ処理の実行時にＣＰＵ３２で実行されるバックアップ処理プログラムの処理の流れを示すフローチャートであり、同図を参照して本実施の形態に係るバックアップ処理について説明する。
【００９３】
ステップ２００では、バックアップ処理の対象となり得る画像ファイルの一覧として、表示制御回路２８を介して各画像ファイルのサムネイル画像をＬＣＤ３０の表示領域に並べて表示する。
【００９４】
このような画像ファイルの一覧がＬＣＤ３０に表示されると、ユーザは、ＬＣＤ３０に表示されたサムネイル画像から所望の画像ファイルのサムネイル画像を特定し、操作部５６の操作により特定したサムネイル画像の選択指示を入力する。
【００９５】
そこで、次のステップ２０２では、ユーザによるサムネイル画像の選択待ちを行ない、次のステップ２０４では、バックアップ処理の実行指示が入力されたか否かを判定する。当該判定が肯定判定となった場合はステップ２０６に移行して、外部機器インタフェース６４を介して画像ファイルを外部機器６６に送信し、その後にステップ２０８に移行する。
【００９６】
ステップ２０８では、バックアップ対象とされた画像ファイルに対して実行する処理として予め上記メニュー画面（図４も参照。）上で設定された処理が「フォルダ移動」であったか否かを判定する。当該判定が肯定判定となった場合はステップ２１０に移行して、バックアップ対象とされた画像ファイルをバックアップ済みフォルダに移動し（図３も参照。）、その後にステップ２１８に移行する。
【００９７】
一方、ステップ２０８で否定判定となった場合はステップ２１２に移行して、予め上記メニュー画面上で設定された処理が「縮小保存」であったか否かを判定する。当該判定が肯定判定となった場合はステップ２１４に移行して、上述した縮小保存処理ルーチン（図６も参照）を当該バックアップ処理の対象とされた画像ファイルを処理対象として実行し、その後にステップ２１８に移行する。
【００９８】
また、ステップ２１２で否定判定となった場合は、予め上記メニュー画面上で設定された処理が「消去」であったものと判断してステップ２１６に移行し、バックアップ対象とされた画像ファイルを記録メディア４２Ａから消去した後、ステップ２１８に移行する。
【００９９】
ステップ２１８では、ユーザによる操作部５６を介した指示入力待ちを行ない、次のステップ２２０では、当該指示入力が他の画像ファイルのバックアップの実行を指示するものであったか否かを判定する。当該判定が肯定判定となった場合は再びステップ２００に戻る。一方、ステップ２２０で否定判定となった場合は本バックアップ処理プログラムを終了する。
【０１００】
ところで、モード切替スイッチ５６Ｃにより再生モードが設定されている場合、デジタルカメラ１０では、記録メディア４２Ａに記録された画像ファイルにより示される被写体像をＬＣＤ３０に再生表示する再生処理が実行される。
【０１０１】
また、本実施の形態に係るデジタルカメラ１０では、再生処理の実行時においてメニューキー５６Ｅの操作により不図示の再生メニュー画面がＬＣＤ３０に表示され、ユーザは当該画面における所望のメニュー項目を選択することにより、対応する処理を実行させることができる。各種メニュー項目に応じた処理のうち、本発明に特に関係する処理について図面を参照して説明する。
（画像ファイルの消去）
図８は、上記再生メニュー画面から画像ファイルの消去を示すメニュー項目が選択された場合に、ＣＰＵ３２によって実行される消去処理ルーチンの処理の流れを示すフローチャートである。
【０１０２】
まず、ステップ１４０では、この時点で再生処理により再生表示対象としているフォルダが通常フォルダであるか否かを判定し、肯定判定となった場合はステップ１４１に移行して、表示制御回路２８を介して通常の消去メニューをＬＣＤ３０に表示し、ステップ１４５に移行する。
【０１０３】
図９（Ａ）には、ＬＣＤ３０に表示された通常の消去メニュー画面の一例が示されている。同図に示すように、通常の消去メニューでは、記録メディア４２Ａのフォーマットの実行を示す「フォーマット」、記録メディア４２Ａに記録された全ての画像ファイルを消去する「全コマ」、再生処理においてメニューキー５６Ｅが操作された時点で再生表示されていた被写体像を示す画像ファイルを消去する「１コマ」及び再生メニュー画面を再び表示させる「戻る」の各メニュー項目が表示される。
【０１０４】
一方、ステップ１４０で否定判定となった場合はステップ１４２に移行して、この時点で再生処理により再生表示対象としているフォルダがバックアップ済みフォルダであるか否かを判定し、肯定判定となった場合はバックアップ済みフォルダの画像ファイルを処理対象とした消去メニュー画面を表示すべく、ステップ１４３に移行する。
【０１０５】
ステップ１４３では、一例として図９（Ｂ）に示すように、上記通常の消去メニュー（図９（Ａ）も参照。）に、消去の対象としてバックアップ済みフォルダに格納された画像ファイル全コマを選択する「バックアップ済み全コマ」のメニュー項目が追加された消去メニュー画面をＬＣＤ３０に表示し、ステップ１４５に移行する。
【０１０６】
一方、ステップ１４２で否定判定となった場合はこの時点で再生処理により再生表示対象とされているフォルダがプリント済みフォルダであったものと判断して、プリント済みフォルダの画像ファイルを処理対象とした消去メニュー画面を表示すべく、ステップ１４４に移行する。
【０１０７】
ステップ１４４では、一例として図９（Ｃ）に示すように、上記通常の消去メニュー（図９（Ａ）も参照。）に、消去の対象としてプリント済みフォルダに格納された画像ファイル全コマを選択する「プリント済み全コマ」のメニュー項目が追加された消去メニュー画面をＬＣＤ３０に表示し、ステップ１４５に移行する。
【０１０８】
なお、このようにして再生表示の対象としているフォルダに応じて表示する各消去メニュー画面には、選択対象となるメニュー項目を示す選択カーソル５８が重ねて表示されるようになっており、ユーザは十字カーソルボタン５６Ｄの矢印キーの操作によりカーソル５８が所望のメニュー項目を指し示すように移動させ、実行キー５６Ｆを押圧操作することによってカーソル５８により示されるメニュー項目の選択を確定する。
【０１０９】
また、本実施の形態では、操作性を向上させる観点から、各消去メニュー画面において最も選択頻度が高いと予測されるメニュー項目を指し示す位置を表示開始時におけるカーソル５８の表示位置のデフォルトとして予め設定している。
【０１１０】
すなわち、図９（Ａ）に示す通常の消去メニュー画面では「１コマ」の項目の表示位置をデフォルトとして適用すると共に、バックアップ済みの画像ファイルやプリント済みの画像ファイルはまとめて消去したい場合が多いことを考慮し、図９（Ｂ）及び図９（Ｃ）に示す例では、「バックアップ済み全コマ」及び「プリント済み全コマ」の項目の表示位置をそれぞれデフォルトとして適用している。
【０１１１】
次のステップ１４５では、何れかのメニュー項目の選択待ちを行い、次のステップ１４６では、選択されたメニュー項目が画像ファイルの消去を示すものであったか否かを判定する。「戻る」のメニュー項目が選択された場合には当該判定が否定判定となり、表示フォルダの変更が中断されたものと判断して本表示フォルダ変更処理ルーチンを終了する。
【０１１２】
一方、「戻る」を除く何れかのメニュー項目が選択された場合にはステップ１４６で肯定判定となって、ステップ１４７に移行し、選択されたメニュー項目が「フォーマット」であったか否かを判定する。当該判定が肯定判定となった場合はステップ１４８に移行して、記録メディア４２Ａに対するフォーマット処理を実行し、その後に本消去処理ルーチンを終了する。
【０１１３】
また、ステップ１４７で否定判定となった場合はステップ１４９に移行して、選択されたメニュー項目に応じた画像ファイルを記録メディア４２Ａから消去し、その後に本消去処理ルーチンを終了する。
（表示フォルダの変更）
図１０は、上記再生メニュー画面から表示フォルダの変更を示すメニュー項目が選択された場合にＣＰＵ３２によって実行される表示フォルダ変更処理ルーチンの処理の流れを示すフローチャートである。
【０１１４】
まず、ステップ１５０では、この時点で再生処理により再生表示対象としているフォルダに応じた表示フォルダ変更メニュー画面を表示する。
【０１１５】
図１１（Ａ）には通常フォルダを表示対象としている場合の表示フォルダ変更メニュー画面が、図１１（Ｂ）にはバックアップ済みフォルダを表示対象としている場合の表示フォルダ変更メニュー画面が、図１０（Ｃ）にはプリント済みフォルダを表示対象としている場合の表示フォルダ変更メニュー画面が、それぞれ一例として示されている。
【０１１６】
同図の（Ａ）〜（Ｃ）にそれぞれ示されるように、本実施の形態に係るデジタルカメラ１０では、表示対象としているフォルダ以外のフォルダのフォルダ名を示すメニュー項目を表示すると共に、上記再生メニュー画面を再び表示させる「戻る」の項目を表示するようにしている。
【０１１７】
次のステップ１５２では、何れかのメニュー項目の選択待ちを行い、次のステップ１５４では、選択されたメニュー項目が表示フォルダの変更を示すものであったか否かを判定する。何れかのフォルダ名を示すメニュー項目が選択された場合には当該判定が肯定判定となり、ステップ１５６に移行して、表示対象としているフォルダを選択されたフォルダに変更し、変更後のフォルダに記録されている最新の画像ファイルにより示される被写体像をＬＣＤ３０に再生表示して、その後に本表示フォルダ変更処理ルーチンを終了する。
【０１１８】
一方、「戻る」の項目が選択された場合にはステップ１５４で否定判定となって、表示フォルダの変更が中断されたものと判断して本表示フォルダ変更処理ルーチンを終了する。
【０１１９】
なお、本実施の形態に係るデジタルカメラ１０では、一例として図１２（Ａ）〜（Ｃ）に示すように、再生処理において被写体像をＬＣＤ３０に再生表示する際に、当該被写体像を示す画像ファイルが記録されているフォルダ名を表示することにより、当該画像ファイルの送信状況を判別可能に表示している。また、フォルダ名に加えてファイル名を表示することにより、当該画像ファイルを特定しやすくしている。
【０１２０】
ここで、図１２（Ａ）は、フォルダ名「１００＿ＦＵＪＩ」に記録されているファイル名「ＤＳＣＦ０００１．ｊｐｇ」の画像ファイルにより示される被写体像がＬＣＤ３０に再生表示された状態を一例として示している。フォルダ名及びファイル名は、送信状況を判別可能とし、かつ画像ファイルを特定可能に表示すればよいため、同図に示す例では、フォルダ名及びファイル名を示す全ての文字列を表示するのではなく、各名称とも省略して表示している。すなわち、フォルダ名は他のフォルダと判別可能な先頭の３文字（「１００」）だけを、ファイル名はファイル毎に異なる数字の部分だけを、それぞれ表示している。
【０１２１】
同様に、図１２（Ｂ）は、フォルダ名「ＢＵＰ」に記録されているファイル名「ＤＳＣＦ０００３．ｊｐｇ」の画像ファイルにより示される被写体像が、図１２（Ｃ）は、フォルダ名「ＰＲＮ」に記録されたファイル名「ＤＳＣＦ０００６．ｊｐｇ」の画像ファイルにより示される被写体像が、それぞれＬＣＤ３０に表示された状態を一例として示している。
【０１２２】
なお、同図に示す例において、フォルダ名及びファイル名の表示領域となる帯３０Ａの色や模様等を、フォルダ毎に異ならせて表示するようにしてもよく、これにより送信状況が視覚的かつ直感的に把握できるようになる。
（フォルダ移動の解除）
図１３は、上記再生メニュー画面から、バックアップ済みフォルダやプリント済みフォルダに移動した画像ファイルを元のフォルダに戻すことにより、当該画像ファイルに基づく情報の外部への送信に伴なう移動の解除を示すメニュー項目が選択された場合にＣＰＵ３２によって実行される移動解除処理プログラムの処理の流れを示すフローチャートである。なお、当該メニュー項目は、バックアップ済みフォルダ及びプリント済みフォルダの画像ファイルを再生表示しているときにメニューキー５６Ｅが操作された場合にのみ、再生メニュー画面のメニュー項目として表示されるものである。
【０１２３】
まず、ステップ１６０では、この時点で再生処理により表示対象としているフォルダに応じた移動解除メニュー画面を表示する。
【０１２４】
図１４（Ａ）には、バックアップ済みフォルダが表示対象とされている場合にＬＣＤ３０に表示されるバックアップ済み移動解除メニュー画面の一例が示されている。同図に示すように、当該メニュー画面では、バックアップ済みフォルダに記録されている全ての画像ファイルの移動を解除することを示す「全コマ」及び再生処理の表示対象とされていた画像ファイルのみの移動を解除することを示す「１コマ」の各メニュー項目が表示されると共に、再生メニュー画面を再び表示させる「戻る」のメニュー項目を表示するようにしている。
【０１２５】
また、図１４（Ｂ）には、プリント済みフォルダが表示対象とされている場合にＬＣＤ３０に表示されるプリント済み移動解除メニュー画面の一例が示されている。当該プリント済み移動解除メニュー画面では、「全コマ」はプリント済みフォルダに記録されている全ての画像ファイルを、「１コマ」は再生処理の表示対象とされていた画像ファイルのみを、それぞれ当該処理の対象として選択することを示すメニュー項目であり、「戻る」は再生メニュー画面を再び表示させるメニュー項目である。
【０１２６】
次のステップ１６２では、何れかのメニュー項目の選択待ちを行ない、次のステップ１６４では、選択されたメニュー項目が「全コマ」を示すものであったか否かを判定する。当該判定が否定判定となった場合はステップ１６６に移行して、選択されたメニュー項目が「１コマ」を示すものであったか否かを判定し、当該判定が否定判定となった場合には、「戻る」を示すメニュー項目が選択されたものと判断し、本移動解除処理プログラムを終了する。
【０１２７】
一方、ステップ１６６で肯定判定となった場合は再生処理の表示対象とされていた画像ファイルのみの移動を解除するものと判断し、ステップ１６８に移行する。
【０１２８】
ところで、デジタルカメラ１０は、撮影によって得られたデジタル画像データを画像ファイルとして通常フォルダに記録する際に、自動的にファイル名を付与するものとしている。そして、例えば、図３に示すようにファイル名「ＤＳＣＦ０００３．ｊｐｇ」の画像ファイルがバックアップ済みフォルダに移動された後に、新たにデジタルカメラ１０による撮影が行なわれると、取得された被写体像を示すデジタル画像データはファイル名「ＤＳＣＦ０００３．ｊｐｇ」の画像ファイルとして通常フォルダに記録される。したがって、記録メディア４２Ａには、異なるフォルダに記録された異なる被写体像を示す同一ファイル名の画像ファイルが存在する場合がある。
【０１２９】
そこで、ステップ１６８では、移動元の通常フォルダに同一のファイル名の画像ファイルがあるか否かを判定し、当該判定が否定判定となった場合はステップ１７４に移行する。
【０１３０】
また、ステップ１６８で肯定判定となった場合はステップ１７０に移行して、通常フォルダにある同一ファイル名の画像ファイルに対して上書き保存を実行するため、通常フォルダにある同一ファイル名の画像ファイルが消去されてしまってもよいか否かを確認する画面（図示省略）を表示する。なお、当該確認画面は、当該内容を示すメッセージやマーク等により構成することができる。
【０１３１】
これに対して、ユーザは、通常フォルダにある同一のファイル名の画像ファイルが消去されてもよいかどうかを判断して、操作部５６の操作により当該処理の実行又はキャンセルの指示を入力する。
【０１３２】
そこで、ステップ１７２では、操作部５６を介した入力指示が実行を指示するものであったか否かを判定し、肯定判定となった場合はステップ１７４に移行し、否定判定となった場合は、本移動解除処理ルーチンを終了する。
【０１３３】
ステップ１７４では、移動解除の対象となる画像ファイルを通常フォルダに移動させた後に、本移動解除処理ルーチンを終了する。
【０１３４】
なお、通常フォルダに同一のファイル名の画像ファイルが存在する場合には、上述した上書き保存により、当該通常フォルダの画像ファイルはバックアップ済みフォルダ又はプリント済みフォルダから移動された画像ファイルに置き換えられる。
【０１３５】
一方、ステップ１６４で肯定判定となった場合には、ステップ１７６乃至ステップ１８２の処理を実行した後に、ステップ１８４に移行する。なお、ステップ１７６乃至ステップ１８２の処理については上述したステップ１６８乃至ステップ１７４の処理と同様であるので、ここでの詳細な説明を省略する。ただし、ステップ１８０で否定判定となった場合にはステップ１８４を実行する。
【０１３６】
ステップ１８４では、処理対象とされたフォルダの全ての画像ファイルについてステップ１７６乃至ステップ１８２の処理が完了したか否かを判定し、否定判定となった場合は上記ステップ１７６に戻って再びステップ１７６乃至ステップ１８２の処理を実行し、ステップ１８４で肯定判定となった時点で本移動解除処理ルーチンを終了する。なお、上記ステップ１７６乃至ステップ１８４の処理を繰り返し実行する際には、それまでに処理対象としなかった画像ファイルを処理対象とする。
【０１３７】
以上説明したように、本実施の形態によれば、予め識別情報としてフォルダ名が付与されるフォルダであり、画像ファイルを分類して記録するためのフォルダ毎に当該画像ファイルが記録可能に構成された記録メディア４２Ａを備え、当該記録メディア４２Ａに記録されている画像ファイルに基づく電子化情報が外部機器インタフェース６４を介して外部機器６６に送信された場合に、フォルダ名として所定の送信状況を示す送信情報が付与されたフォルダ（バックアップ済みフォルダ及びプリント済みフォルダ）に当該画像ファイルを移動しているので、煩雑な処理を伴なうことなく、画像ファイルに基づく電子化情報の外部への送信状況を把握することができる。
【０１３８】
また、本実施の形態によれば、ＣＰＵ３２により外部機器インタフェース６４を介した外部機器６６への送信の対象とされた画像ファイルを、送信用途を示すを示すフォルダ名が付与されたフォルダ（バックアップ済みフォルダ又はプリント済みフォルダ）に移動させているので、送信用途についても煩雑な処理を伴なうことなく把握することができる。
【０１３９】
さらに、本実施の形態によれば、前記送信用途を、印刷のための送信及びバックアップのための送信としているので、デジタルカメラから外部への画像ファイルの送信用途として非常に頻度の高い印刷のための送信及びバックアップのための送信の実行状況が把握できる。
【０１４０】
また、本実施の形態によれば、操作部５６の操作によって、記録メディア４２Ａの送信情報が付与されたフォルダに記録されている全ての画像ファイルのフォルダ単位での消去指示を入力可能としており、当該消去指示に応じて対象となるフォルダ内の全ての画像ファイルを記録メディア４２Ａから消去するようにしているので、所望の送信状況での外部への送信対象とされた画像ファイルを一括して消去することが可能となり、利便性を向上させることができる。
【０１４１】
さらに、本実施の形態によれば、操作部５６の操作によって、送信情報が付与されたフォルダに移動された画像ファイルの何れかを対象とした当該移動の解除指示を入力可能としており、当該解除指示に応じて対象となる画像ファイルを元のフォルダに戻すようにしているので、外部への送信対象とされた画像ファイルを外部への送信対象とされていない画像ファイルと同様に扱うことができ、再度送信対象としたり誤消去等を防止したりすることができる。
【０１４２】
例えば、一旦送信対象とした画像ファイルを再び送信対象としたい場合等に、当該画像ファイルを処理対象とした解除指示を入力して、一旦当該画像ファイルを通常フォルダに戻した後に、送信対象とすることもできる。
【０１４３】
さらに、本実施の形態によれば、操作部５６の操作によって、送信情報が付与されたフォルダに移動された全ての画像ファイルの一括した当該移動の解除指示を入力可能としているので、送信情報が付与されたフォルダに移動された全ての画像ファイルの送信情報を簡易かつ短時間で解除することができる。
【０１４４】
例えば、通常フォルダに記録された全ての画像ファイルを送信対象とした後にいくつかの画像ファイルを再度送信対象としたい場合に、所望の送信情報が付与されたフォルダに移動された全ての画像ファイルの一括した移動の解除を行なった後に、再び送信対象とすることにより、焼き増し印刷を行なった画像ファイルのみがプリント済みフォルダに移動されるので、どの画像ファイルを再び送信対象としたかが容易にわかる。
【０１４５】
また、本実施の形態によれば、ＬＣＤ３０によって被写体像を再生表示する際に、当該被写体像を示す画像ファイルが記録されているフォルダのフォルダ名を判別可能に表示するようにしているので、被写体像が再生表示されている状態で、当該被写体像を示す画像ファイルの外部への送信状況を視覚的に判別できるので、当該送信状況を直感的に把握することができる。
【０１４６】
さらに、本実施の形態によれば、操作部５６の操作によって何れかのフォルダを指定する指定情報を入力可能としており、ＬＣＤ３０によって被写体像を再生表示する際に、指定情報により示されるフォルダに記録された画像ファイルによって示される被写体像を表示するようにしているので、再生表示の対象として所望のフォルダに記録されている画像ファイルが指定可能となるので、所望の送信状況である画像ファイルを再生表示させることができる。
【０１４７】
また、本実施の形態によれば、操作部５６の操作によって、画像ファイルの送信情報が付与されたフォルダへの移動処理と、画像ファイルの記録メディア４２Ａからの消去処理と、画像ファイルの情報容量の縮小処理と、から何れか１つの処理を選択的に実行させる実行指示を入力可能としており、画像ファイルに基づく電子化情報が外部に送信された場合に、当該画像ファイルを対象として前記実行指示に応じた処理を実行するようにしているので、ユーザ毎に異なる送信対象とされた画像ファイルの重要度や、使用状況によって異なる記録メディア４２Ａの空き容量等に応じた所望の処理の実行指示を入力できるので、利便性を向上させることができる。
【０１４８】
なお、本実施の形態では、図３に示すように、識別情報として送信状況を示す送信情報が付与されたフォルダ（プリント済みフォルダ及びバックアップ済みフォルダ）をルート直下に設けた形態について説明したが、本発明はこれに限定されるものではなく、「ＤＣＩＭ」ディレクトリの下位階層に設ける形態とすることもできる。このようにした場合、プリント済みフォルダ及びバックアップ済みフォルダに記録されている画像ファイルに基づく電子化情報についても、容易にＤＣＦ規格に対応した外部機器への送信対象とすることができる。
【０１４９】
なお、本実施の形態では、電子化ファイルとして画像ファイルを適用した形態についてのみ説明したが、本発明はこれに限定されるものではなく、文書ファイルや音声ファイル等の電子化ファイルを適用することもできる。
【０１５０】
また、本実施の形態で説明したフローチャート（図５乃至図８、図１０及び図１３参照）の処理の流れは一例であり、本発明の主旨を逸脱しない範囲内において適宜変更可能であることは言うまでもない。
【０１５１】
さらに、以上のデジタルカメラ１０の構成（図１乃至図３参照）は一例であり、本発明の主旨を逸脱しない範囲内において適宜変更可能であることは言うまでもない。
【図面の簡単な説明】
【０１５２】
【図１】実施の形態に係るデジタルカメラの外観を示す外観図である。
【図２】実施の形態に係るデジタルカメラの電気系の構成を示すブロック図である。
【図３】記録メディアの記録状態を示す模式図である。
【図４】ＬＣＤにメニュー画面が表示された状態の一例を示す模式図である。
【図５】実施の形態に係るプリント処理プログラムの処理の流れを示すフローチャートである。
【図６】実施の形態に係る縮小保存処理ルーチンの処理の流れを示すフローチャートである。
【図７】実施の形態に係るバックアップ処理プログラムの処理の流れを示すフローチャートである。
【図８】実施の形態に係る消去メニュー表示処理ルーチンの処理の流れを示すフローチャートである。
【図９】消去処理によりＬＣＤに消去メニューが表示された状態の一例を示す模式図である。
【図１０】実施の形態に係る表示フォルダ変更処理ルーチンの処理の流れを示すフローチャートである。
【図１１】表示フォルダ変更処理の実行時のＬＣＤの表示状態を一例として示す模式図である。
【図１２】実施の形態に係る再生処理によりＬＣＤに被写体像が表示された状態の一例を示す模式図である。
【図１３】実施の形態に係る移動解除処理ルーチンの処理の流れを示すフローチャートである。
【図１４】移動解除処理の実行時のＬＣＤの表示状態を一例として示す模式図である。
【符号の説明】
【０１５３】
１０    デジタルカメラ
３０    ＬＣＤ（表示手段）
３２    ＣＰＵ（送信手段、制御手段）
４２Ａ    記録メディア（記録媒体）
５６    操作部（消去指示入力手段、解除指示入力手段、指定情報入力手段、実行指示入力手段）
【図１】
2005159513.tif 000003
【図２】
2005159513.tif 000004
【図３】
2005159513.tif 000005
【図４】
2005159513.tif 000006
【図５】
2005159513.tif 000007
【図６】
2005159513.tif 000008
【図７】
2005159513.tif 000009
【図８】
2005159513.tif 000010
【図９】
2005159513.tif 000011
【図１０】
2005159513.tif 000012
【図１１】
2005159513.tif 000013
【図１２】
2005159513.tif 000014
【図１３】
2005159513.tif 000015
【図１４】
2005159513.tif 000016